(57)【要約】【課題】柄の端部に取り付けた状態で柄の端部を隠蔽することができ、柄の端部処理の仕上がり形態が向上する柄付き清掃具類の吊り下げ用キャップを提供する。【解決手段】清掃具類のパイプ製の柄３における端部に装着するキャップ本体２２と、このキャップ本体２２の上端に回転自在に突設した吊り環２３とからなる吊り下げ用キャップ２１において、キャップ本体２２が、柄３の内部に嵌挿する挿入筒２５と、この挿入筒２５の外側に設けられ、柄３の端部外周に外嵌する端部隠蔽筒２６とを備え、柄３の端部にキャップ本体２２を取り付けると、柄３の端部周壁を端部隠蔽筒２６で覆うようになっている。【選択図】  図１
2004180896.tif 000002
【特許請求の範囲】
【請求項１】
清掃具類のパイプ製の柄における端部に装着するキャップ本体と、このキャップ本体の上端に回転自在に突設した吊り環とからなり、上記キャップ本体が、柄の内部に嵌挿する挿入筒と、この挿入筒の外側に設けられ、柄の端部外周に外嵌する端部隠蔽筒とを備え、挿入筒と端部隠蔽筒との間に、柄の周壁の厚みが嵌り合う環状隙間を形成した柄付き清掃具類の吊り下げ用キャップ。
【発明の詳細な説明】
【０００１】
【発明の属する技術分野】
この発明は、箒やモップ等の柄付き清掃具類において、柄の端部に取り付けることによって清掃具類を吊り下げ状態にできるようにする吊り下げ用キャップに関する。
【０００２】
【従来の技術】
図２（ａ）のように、箒やモップ等の柄付き清掃具類１は、使用しないときに壁面等に設けたフック等に吊り下げ状とし、掃部材２が傷まないようにしたり、安定よく格納することができるようになっており、このため、柄３の端部に合成樹脂製の吊り下げ用キャップ４が取り付けられている。
【０００３】
従来の吊り下げ用キャップ４として、最も簡単なものは、柄３の端部に外嵌固定するキャップ本体の上端面に吊り環を一体に形成した構造になっているが、このようなキャップは、吊り環が回転しないため、柄３の端部に固定すると、掃部材２と吊り環の位相関係が一定化し、吊り下げ状とした格納時において、壁面等に設けたフック等の条件によっては、掃部材２が壁面から突出するような状態が発生することになる。
【０００４】
このため、キャップ本体に対して吊り環を回転自在に取り付け、掃部材と吊り環の位相関係を取り付け部分の条件に合わせて変更することができるようにした吊り下げ用キャップが提案されている。
【０００５】
図２（ａ）と（ｂ）は、吊り環を回転自在とした従来の吊り下げ用キャップ４を示し、キャップ本体５が、柄３の内部に嵌挿する挿入筒６の上端に、柄３の外径と略同径となる端部覆い用の円板状鍔部７を設けて形成され、吊り環８は上下に長く、円板状鍔部７と同径の円軸状で上下方向の長孔９が設けられ、下端面に一対の弾性係止片１０が突設されている。
【０００６】
上記キャップ本体５には、円板状鍔部７から挿入筒６の途中にわたって、吊り環８の係止孔１１が設けられ、吊り環８の弾性係止片１０をこの係止孔１１に圧入することにより、弾性係止片１０の下端大形部１２が係止孔１１の下端面に係合し、キャップ本体５に対して吊り環８を抜け止め状態で回転自在に取り付けた構造になっている。
【０００７】
【発明が解決しようとする課題】
ところで、上記のような従来の回転式吊り下げ用キャップ４は、柄３の端部に取り付けた状態で、柄３の端面に円板状鍔部７が当接し、柄３の端面をこの円板状鍔部７で隠蔽するようになっているが、柄３の端面は、柄３の軸心に対して正確な直角に切断されていない場合が往々にしてあり、このため、柄３の端面と円板状鍔部７の間に隙間が発生し、見た目が極めて不体裁になる。
【０００８】
また、柄３が合成樹脂被覆金属パイプで形成されているような場合、柄３の端部における合成樹脂被覆の処理が悪いと金属パイプが露見し、これがそのまま見えることになるので、この場合も見た目が極めて不体裁になる。
【０００９】
そこで、この発明の課題は、柄の端部に取り付けた状態で柄の端部を隠蔽することができ、上記のような隙間や金属パイプが露見することがなく、柄の端部処理の仕上がり形態が向上する柄付き清掃具類の吊り下げ用キャップを提供することにある。
【００１０】
【課題を解決するための手段】
上記のような課題を解決するため、この発明は、清掃具類のパイプ製の柄における端部に装着するキャップ本体と、このキャップ本体の上端に回転自在に突設した吊り環とからなり、上記キャップ本体が、柄の内部に嵌挿する挿入筒と、この挿入筒の外側に設けられ、柄の端部外周に外嵌する端部隠蔽筒とを備え、挿入筒と端部隠蔽筒との間に、柄の周壁の厚みが嵌り合う環状隙間を形成した構成を採用したものである。
【００１１】
上記キャップ本体と吊り環は、合成樹脂を用い、キャップ本体は、円板状頭部の下面側に挿入筒と端部隠蔽筒を同軸心状に連成し、円板状頭部に上端で開口する円形凹部と、この円形凹部の底面から挿入筒の途中で開口する係止孔を設けて形成されている。
【００１２】
また、吊り環は、上記円形凹部内に嵌合する円形板の上面に突設した立ち上がり部に長孔を設け、円形板の下端面に上記係止孔に挿入する一対の弾性係止片を突設して形成され、吊り環の弾性係止片を係止孔に圧入することにより、弾性係止片の下端大形部が係止孔の下端面に係合し、キャップ本体に対して吊り環が抜け止め状態で回転自在に取り付けられることになる。
【００１３】
【発明の実施の形態】
以下、この発明の実施の形態を図示例と共に説明する。
【００１４】
図１（ａ）は、柄付き清掃具類１として箒を例示し、上下に長い柄３の下端に掃部材２を設けて形成され、柄３には合成樹脂被覆金属パイプや合成樹脂パイプを用い、この柄３の上端に吊り下げ用キャップ２１が取り付けられる。
【００１５】
なお、他の柄付き清掃具類１としては、モップや床ブラシ等を挙げることができる。
【００１６】
図１（ｂ）のように、上記吊り下げ用キャップ２１は、柄３の端部に装着するキャップ本体２２と、このキャップ本体２２の上端に回転自在に突設した吊り環２３とからなり、上記キャップ本体２２は、合成樹脂を用い、円板状頭部２４の下面側に、柄３の内部に圧入嵌挿する長い挿入筒２５と、この挿入筒２５の上端部外側に設けられ、柄３の端部外周に外嵌する端部隠蔽筒２６とを同軸心状に連成し、挿入筒２５と端部隠蔽筒２６との間に、柄３の周壁の厚みが嵌り合う環状隙間２７を形成している。
【００１７】
このキャップ本体２２には、円板状頭部２４に上端で開口する円形凹部２８と、この円形凹部２８の底面から挿入筒２５の途中で段付き状に開口するテーパ状の係止孔２９が設けられている。
【００１８】
また、吊り環２３は、合成樹脂を用い、上記円形凹部２８内に嵌合する円形板３０の上面に突設した立ち上がり部３１に上下方向の長孔３２を設け、円形板３０の下端面に上記係止孔２９に挿入する一対の弾性係止片３３を突設して形成され、吊り環２３の弾性係止片３３を係止孔２９に圧入することにより、弾性係止片３３の下端大形部３４が係止孔２９の下端面に係合し、キャップ本体２２に対して吊り環２３が抜け止め状態で回転自在に取り付けられることになる。
【００１９】
この発明の吊り下げ用キャップは、上記のような構成であり、キャップ本体２２の係止孔２９に吊り環２３の弾性係止片３３を圧入することにより、係止孔２９を通過した弾性係止片３３の下端大形部３４が係止孔２９の下端面に係合し、キャップ本体２２に対して吊り環２３が、円形凹部２８内に円形板３０が納まる抜け止め状態で回転自在となる吊り下げ用キャップ２１が組み立てられている。
【００２０】
上記吊り下げ用キャップ２１の柄３に対する取り付けは、柄３の上端部内に挿入筒２５を圧入嵌挿すればよく、図１（ｂ）のように、挿入筒２５と端部隠蔽筒２６との間に形成した環状隙間２７が柄３の端部周壁に嵌合することで、端部隠蔽筒２６が柄３の端部外周に外嵌する。なお、挿入筒２５は接着剤を用いて柄３に固定化するようにしてもよい。
【００２１】
このような吊り下げ用キャップ２１の取り付け状態で、柄３の端部は環状隙間２７内に収まり、柄３の端部周壁の外面が端部隠蔽筒２６で覆われることになるので、柄３の端部が外部に露見するようなことがなく、従って、柄３の端面が柄３の軸心に対して正確な直角に切断されていない場合や、合成樹脂被覆金属パイプの端部で合成樹脂被覆が剥がれているような場合でも、これらの部分が端部隠蔽筒２６で覆われて隠れ、柄３の端部に吊り下げ用キャップ２１を取り付けることにより、柄３の端部処理を体裁よく仕上げることができる。
【００２２】
【発明の効果】
以上のように、この発明によると、清掃具類のパイプ製の柄における端部に装着するキャップ本体と、このキャップ本体の上端に回転自在に突設した吊り環とからなる吊り下げ用キャップにおいて、柄の端部周壁を端部隠蔽筒で覆うようにしたので、柄の端部が外部に露見するようなことがなくなり、柄の端面が柄の軸心に対して正確な直角に切断されていない場合や、合成樹脂被覆金属パイプの端部で合成樹脂被覆が剥がれているような場合でも、これらの部分が隠れることになり、柄の端部に吊り下げ用キャップを取り付けることにより、柄の端部処理を体裁よく仕上げることができる。
【図面の簡単な説明】
【図１】（ａ）は柄付き清掃具類として箒の例を示し、この箒の柄に吊り下げ用キャップを取り付けた正面図、（ｂ）は同上における吊り下げ用キャップの取り付け部分を拡大した縦断正面図
【図２】（ａ）は柄付き清掃具類として箒の例を示し、この箒の柄に従来の吊り下げ用キャップを取り付けた正面図、（ｂ）は同上における吊り下げ用キャップの取り付け部分を拡大した縦断正面図
【符号の説明】
１  柄付き清掃具類
２  掃部材
３  柄
２１  吊り下げ用キャップ
２２  キャップ本体
２３  吊り環
２４  円板状頭部
２５  挿入筒
２６  端部隠蔽筒
２７  環状隙間
２８  円形凹部
２９  係止孔
３０  円形板
３１  立ち上がり部
３２  長孔
３３  弾性係止片
３４  下端大形部
【図１】
2004180896.tif 000003
【図２】
2004180896.tif 000004